(57)【要約】【課題】ユーザの置かれた状況に応じて、密閉型と開放型を切り替えることができるイヤホンを提供する。【解決手段】状態管理部５９１は、携帯端末のユーザの身体の状態または所在する環境に関連する情報を取得または検出する。イヤホン制御部５９２は、ユーザの身体の状態または所在する環境に基づいて、イヤホン５１を密閉型または開放型に切り替える。【選択図】図２
2016051915.tif 000002
【特許請求の範囲】
【請求項１】
密閉型と開放型の切替えが可能なイヤホンであって、
携帯端末のユーザの身体の状態または所在する環境に関連する情報を取得または検出する状態管理部と、
前記ユーザの身体の状態または所在する環境に基づいて、前記イヤホンを密閉型または開放型に切り替えるイヤホン制御部とを備えた、イヤホン。
【請求項２】
前記イヤホンは、
脈拍センサを備え、
前記状態管理部は、前記脈拍センサで測定された脈拍が閾値以上か否かを判定し、
前記イヤホン制御部は、前記脈拍が閾値以上の場合には、前記イヤホンを開放型に切り替え、前記脈拍が前記閾値未満の場合には、前記イヤホンを密閉型に切り替える、請求項１記載のイヤホン。
【請求項３】
前記イヤホンは、
マイクを備え、
前記状態管理部は、前記マイクに入力された信号の大きさが閾値以上か否かを判定し、
前記イヤホン制御部は、前記信号の大きさが閾値以上の場合には、前記イヤホンを開放型に切り替え、前記信号の大きさが前記閾値未満の場合には、前記イヤホンを密閉型に切り替える、請求項１記載のイヤホン。
【請求項４】
前記イヤホンは、
マイクを備え、
前記状態管理部は、前記マイクに入力された信号に特定の単語を発音したときの音声信号が含まれているか否かを判定し、
前記イヤホン制御部は、前記入力された信号に特定の単語を発音したときの音声信号が含まれている場合には、前記イヤホンを開放型に切り替え、前記入力された信号に特定の単語を発音したときの音声信号が含まれていない場合には、前記イヤホンを密閉型に切り替える、請求項１記載のイヤホン。
【請求項５】
前記携帯端末が、加速度センサを備え、
前記状態管理部は、前記携帯端末から、前記加速度センサから出力される加速度データに基づいて判定された、ユーザが乗り物に乗車状態か、静止状態か、または動作状態かを表わす信号を受信し、
前記イヤホン制御部は、動作状態の場合には、前記イヤホンを開放型に切り替え、
乗車状態の場合には、前記イヤホンを密閉型に切り替え、
静止状態の場合には、前記イヤホンを密閉型に切り替える、請求項１記載のイヤホン。
【請求項６】
前記動作状態には、ランニング状態、歩行状態、および自転車を漕いでいる状態の少なくとも１つを含む、請求項５記載のイヤホン。
【請求項７】
前記携帯端末が、加速度センサを備え、
前記イヤホンは、
マイクと、
脈拍センサとを備え、
前記状態管理部は、前記携帯端末から、前記加速度センサから出力される加速度データに基づいて判定された、ユーザが乗り物に乗車状態か、静止状態か、または動作状態かを表わす信号を受信し、
前記状態管理部は、前記マイクに入力された音声信号に特定の単語を発音したときの音声信号が含まれているか否かを判定し、
前記状態管理部は、前記脈拍センサで測定された脈拍が閾値以上か否かを判定し、
前記イヤホン制御部は、前記マイクに入力された信号の大きさが第１の閾値以上の場合には、前記イヤホンを開放型に切り替え、
前記マイクに入力された信号の大きさが前記第１の閾値未満であり、かつ前記動作状態と判定されたときには、前記イヤホンを開放型に切り替え、
前記マイクに入力された信号の大きさが前記第１の閾値未満であり、かつ前記乗車状態と判定されたときには、前記イヤホンを密閉型に切り替え、
前記マイクに入力された信号の大きさが前記第１の閾値未満であり、かつ前記静止状態と判定されたときには、さらに前記脈拍が第２の閾値以上の場合には、前記イヤホンを開放型に切り替え、さらに前記脈拍が前記第２の閾値未満の場合には、前記イヤホンを密閉型に切り替える、請求項１記載のイヤホン。
【請求項８】
前記イヤホン制御部は、前記イヤホンを開放型に切り替えるときには、前記携帯端末から出力される音声の音量を所定のレベルに制限する、請求項１〜７のいずれか１項に記載のイヤホン。
【請求項９】
密閉型と開放型の切替えが可能なイヤホンと接続可能な携帯端末であって、
前記携帯端末のユーザの身体の状態または所在する環境に関連する情報を取得または検出する状態管理部と、
前記ユーザの身体の状態または所在する環境に基づいて、前記イヤホンを密閉型または開放型に切り替えるための信号を前記イヤホンに出力するイヤホン制御部とを備えた、携帯端末。
【請求項１０】
前記イヤホンは、脈拍センサを備え、
前記管理部は、前記イヤホンから、前記脈拍センサで測定された脈拍が閾値以上か否かを表わす信号を受信し、
前記イヤホン制御部は、前記脈拍が閾値以上の場合には、前記イヤホンを開放型に切り替えるための信号を前記イヤホンに出力し、前記脈拍が前記閾値未満の場合には、前記イヤホンを密閉型に切り替えるための信号を前記イヤホンに出力する、請求項９記載の携帯端末。
【請求項１１】
前記携帯端末は、マイクを備え、
前記状態管理部は、前記マイクに入力された信号の大きさが閾値以上か否かを判定し、
前記イヤホン制御部は、前記信号の大きさが閾値以上の場合には、前記イヤホンを開放型に切り替えるための信号を前記イヤホンに出力し、前記信号の大きさが前記閾値未満の場合には、前記イヤホンを密閉型に切り替えるための信号を前記イヤホンに出力する、請求項９記載の携帯端末。
【請求項１２】
前記携帯端末は、マイクを備え、
前記状態管理部は、前記マイクに入力された信号に特定の単語を発音したときの音声信号が含まれているか否かを判定し、
前記イヤホン制御部は、前記入力された音声信号に前記特定の単語を発音したときの音声信号が含まれている場合には、前記イヤホンを開放型に切り替えるための信号を前記イヤホンに出力し、前記入力された音声信号に前記特定の単語を発音したときの音声信号が含まれていない場合には、前記イヤホンを密閉型に切り替えるための信号を前記イヤホンに出力する、請求項９記載の携帯端末。
【請求項１３】
前記携帯端末は、
加速度センサを備え、
前記状態管理部は、前記加速度センサから出力される加速度データに基づいて、ユーザが乗り物に乗車状態か、静止状態か、または動作状態かを判定し、
前記イヤホン制御部は、動作状態の場合には、前記イヤホンを開放型に切り替えるための信号を前記イヤホンに出力し、
乗車状態の場合には、前記イヤホンを密閉型に切り替えための信号を前記イヤホンに出力し、
静止状態の場合には、前記イヤホンを密閉型に切り替えるための信号を前記イヤホンに出力する、請求項９記載の携帯端末。
【請求項１４】
前記動作状態には、ランニング状態、歩行状態、および自転車を漕いでいる状態の少なくとも１つを含む、請求項１３記載の携帯端末。
【請求項１５】
前記イヤホンは、脈拍センサを備え、
前記携帯端末は、
マイクと、
加速度センサを備え、
前記状態管理部は、前記イヤホンから、前記脈拍センサで測定された脈拍が第２の閾値以上か否かを表わす信号を受信し、
前記状態管理部は、前記マイクに入力された信号の大きさが閾値以上か否かを判定し、
前記状態管理部は、前記加速度センサから出力される加速度データに基づいて、ユーザが乗り物に乗車状態か、静止状態か、または動作状態かを判定し、
前記イヤホン制御部は、前記マイクに入力された音声信号の大きさが第１の閾値以上の場合には、前記イヤホンを開放型に切り替えための信号を前記イヤホンに出力し、
前記マイクに入力された音声信号の大きさが前記第１の閾値未満であり、かつ前記動作状態と判定されたときには、前記イヤホンを開放型に切り替えための信号を前記イヤホンに出力し、
前記マイクに入力された音声信号の大きさが前記第１の閾値未満であり、かつ前記乗車状態と判定されたときには、前記イヤホンを密閉型に切り替えるための信号を前記イヤホンに出力し、
前記マイクに入力された音声信号の大きさが前記第１の閾値未満であり、かつ前記静止状態と判定されたときには、さらに前記脈拍が第２の閾値以上の場合には、前記イヤホンを開放型に切り替えための信号を前記イヤホンに出力し、さらに前記脈拍が前記第２の閾値未満の場合には、前記イヤホンを密閉型に切り替えるための信号を前記イヤホンに出力する、請求項９記載の携帯端末。
【請求項１６】
前記イヤホン制御部は、前記イヤホンを開放型に切り替えるときには、前記携帯端末から出力される音声の音量を所定のレベルに制限する、請求項９〜１５のいずれか１項に記載のイヤホン。
【請求項１７】
密閉型と開放型の切替えが可能なイヤホンと、前記イヤホンと接続可能な携帯端末とを備えた電子システムであって、
前記携帯端末のユーザの身体の状態または所在する環境に関連する情報を取得または検出する管理部と、
前記ユーザの身体の状態または所在する環境に基づいて、前記イヤホンを密閉型または開放型に切り替えるイヤホン制御部とを備えた、電子システム。
【請求項１８】
密閉型と開放型の切替えが可能なイヤホンと、前記イヤホンと接続可能な携帯端末とを備えた電子システムの制御方法であって、
前記電子システムが、前記携帯端末のユーザの身体の状態または所在する環境に関連する情報を取得または検出するステップと、
前記電子システムが、前記ユーザの身体の状態または所在する環境に基づいて、前記イヤホンを密閉型または開放型に切り替えるステップとを備えた、電子システムの制御方法。
【発明の詳細な説明】
【技術分野】
【０００１】
本発明は、イヤホン、携帯端末、電子システム、および電子システムの制御方法に関する。
【背景技術】
【０００２】
従来から、発音部分の背面が密閉された密閉型イヤホンが知られている（たとえば、特許文献１を参照）。
【０００３】
また、発音部分の背面が開放された開放型イヤホンも知られている（たとえば、特許文献２を参照）。
【先行技術文献】
【特許文献】
【０００４】
【特許文献１】特開２０１２−８０４４０号公報
【特許文献２】特開２０１０−２６３５９５号公報
【発明の概要】
【発明が解決しようとする課題】
【０００５】
ところで、イヤホンの密閉型と開放型とを切り替える切替機構を備え、ユーザが手動で切替機構を操作することによって、イヤホンの密閉型と開放型を切り替えるよう構成することが考えられる。
【０００６】
しかしながら、ユーザが手動で切り替えるのは煩雑であり、ユーザの置かれた状況に応じて、密閉型と開放型とを自動で切り替えることができれば、便利である。
【０００７】
それゆえに、本発明の目的は、ユーザの置かれた状況に応じて、密閉型と開放型を切り替えることができるイヤホン、そのようなイヤホンに接続可能な携帯端末、そのようなイヤホンおよびそのような携帯端末からなる電子システム、およびそのような電子システムの制御方法を提供することである。
【課題を解決するための手段】
【０００８】
本発明の一態様は、密閉型と開放型の切替えが可能なイヤホンであって、携帯端末のユーザの身体の状態または所在する環境に関連する情報を取得または検出する状態管理部と、ユーザの身体の状態または所在する環境に基づいて、イヤホンを密閉型または開放型に切り替えるイヤホン制御部とを備える。
【発明の効果】
【０００９】
本発明の一態様によれば、ユーザの置かれた状況に応じて、イヤホンの密閉型と開放型とを切り替えることができる。
【図面の簡単な説明】
【００１０】
【図１】第１の実施形態の携帯端末１の構成を表わす図である。
【図２】第１の実施形態のイヤホン５１の構成を表わす図である。
【図３】第１の実施形態のイヤホン５１の左イヤーパッド５４の外観を表わす図である。
【図４】（ａ）は、左イヤーパッド５４のOpen/Close切替機構６３がオープンに切り替えられたときの状態を表わす図である。（ｂ）は、左イヤーパッド５４のOpen/Close切替機構６３がクローズに切り替えられたときの状態を表わす図である。
【図５】第１の実施形態における、イヤホン５１のOpen/Closeの切替手順を表わす図である。
【図６】第１の実施形態の変形例１の携帯端末１の構成を表わす図である。
【図７】第１の実施形態の変形例１のイヤホン５１の構成を表わす図である。
【図８】第１の実施形態の変形例１のイヤホン５１のOpen/Closeの切替手順を表わす図である。
【図９】第１の実施形態の変形例２のイヤホン５１のOpen/Closeの切替手順を表わす図である。
【図１０】第１の実施形態の変形例３のイヤホン５１のOpen/Closeの切替手順を表わす図である。
【図１１】第２の実施形態における、イヤホン５１のOpen/Closeの切替手順を表わす図である。
【図１２】第２の実施形態の変形例１のイヤホンのOpen/Closeの切替手順を表わす図である。
【図１３】第３の実施形態のイヤホン５１の構成を表わす図である。
【図１４】第３の実施形態のイヤホン５１の左イヤーパッド５４の外観を表わす図である。
【図１５】赤外線の送信、および受信の様子を表わす図である。
【図１６】第３の実施形態における、イヤホン５１のOpen/Closeの切替手順を表わす図である。
【図１７】第３の実施形態の変形例１のイヤホン５１の構成を表わす図である。
【図１８】第３の実施形態の変形例１のイヤホン５１のOpen/Closeの切替手順を表わす図である。
【図１９】第４の実施形態における、イヤホン５１のOpen/Closeの切替手順を表わす図である。
【図２０】第４の実施形態における、イヤホン５１のOpen/Closeの切替手順を表わす図である。
【図２１】図１９のステップＳ９０４の詳細な手順を表わす図である。
【図２２】第４の実施形態の変形例１における、イヤホン５１のOpen/Closeの切替手順を表わす図である。
【図２３】第４の実施形態の変形例１における、イヤホン５１のOpen/Closeの切替手順を表わす図である。
【図２４】図２２のステップＳ１００４の詳細な手順を表わす図である。
【図２５】変形例１のイヤホン７１の構成を表わす図である。
【図２６】変形例２のイヤホン７１の構成を表わす図である。
【発明を実施するための形態】
【００１１】
以下、本発明の実施の形態について図面を用いて説明する。
［第１の実施形態］
図１は、第１の実施形態の携帯端末１の構成を表わす図である。
【００１２】
図１に示すように、携帯端末１は、アンテナ２と、バッテリ３と、無線処理部４と、ＬＣＤ（Liquid Crystal Display）６と、タッチパネル６と、電力制御部７と、メモリ８と、ＣＰＵ（Central Processing Unit）９と、コーデック１０と、スピーカ１２と、レシーバ１３と、マイク１４と、イヤホンジャック１５と、加速度センサ１７と、方位センサ１８とを備える。
【００１３】
アンテナ２は、基地局からの無線信号を受信可能に構成されるとともに、基地局への無線信号を送信可能に構成される。
【００１４】
バッテリ３は、充電した電力を携帯端末１の構成要素に供給する。
無線処理部４は、アンテナ２へ無線信号を送信可能に構成されるとともに、アンテナ２からの無線信号を受信可能に構成される。
【００１５】
ＬＣＤ５は、ＣＰＵ９から出力された画像を表示する。
タッチパネル６は、ユーザによる操作入力を受け付ける。
【００１６】
電力制御部７は、バッテリ３からの電力の供給を制御する。
メモリ８は、各種のデータおよびプログラムを記憶する。
【００１７】
ＣＰＵ９は、携帯端末１全体を制御する。
コーデック１０は、出力する音声信号の符号化し、入力される音声信号を復号化する。
【００１８】
スピーカ１２は、ハンズフリー時に外部に音声を出力する。
レシーバ１３は、通話時に音声を出力する。
【００１９】
マイク１４は、外部の音声信号を受ける。
イヤホンジャック１５は、５極のイヤホンプラグと接続可能である。
【００２０】
加速度センサ１７は、X,Y,Zの3軸方向の加速度データを出力する。
方位センサ１８は、方位を示すデータを出力する。
【００２１】
図２は、第１の実施形態のイヤホン５１の構成を表わす図である。
図２に示すように、イヤホン５１は、イヤホンプラグ５２と、中継器５３と、左イヤーパッド５４と、右イヤーパッド５５とを備える。
【００２２】
イヤホンプラグ５２は、携帯端末１のイヤホンジャックと接続可能である。イヤホンプラグ５２は、電源端子（Ｖ）と、左音声端子（Ｌ）と、右音声端子（Ｒ）と、マイク端子（Ｍ）と、グランド端子（ＧＮＤ）とを備える。
【００２３】
アンプ５８は、信号線Ｖを通じて電源電圧を受電し、信号線Ｌを通じて左イヤーパッド５４への左音声信号を受信し、信号線Ｒを通じて右イヤーパッド５５への右音声信号を受電する。アンプ５８は、左音声信号と右音声信号の差を増幅して、左音声信号を圧電素子６２へ共有し、右音声信号を圧電素子６４へ供給する。
【００２４】
マイク６０は、入力される音声信号をマイコン５９およびスイッチ５６へ供給する。
スイッチ５６は、マイコン５９からの制御信号、またはマイク６０からの音声信号を選択して、選択した信号を信号線Ｍを通じてイヤホンプラグ５２へ供給する。
【００２５】
ＧＮＤ５７は、グランド電圧を信号線Ｇを通じてイヤホンプラグへ送電または受電する。
【００２６】
左イヤーパッド５４は、圧電素子６２と、Open/Close切替機構６３とを備える。
圧電素子６２は、供給された左音声信号の大きさに応じて、振動する。
【００２７】
Open/Close切替機構６３は、イヤホン５１の左イヤーパッド５４を開放型（オープン）または密閉型（クローズ）に設定する。開放型では、外部と左耳の外耳道との間の通路が開放され、密閉型では、外部と左耳の外耳道との間の通路が遮断される。
【００２８】
右イヤーパッド５５は、圧電素子６４と、Open/Close切替機構６５とを備える。
圧電素子６４は、供給された右音声信号の大きさに応じて、振動する。
【００２９】
Open/Close切替機構６５は、イヤホン５１の右イヤーパッド５５を開放型（オープン）または密閉型（クローズ）に設定する。開放型では、外部と右耳の外耳道との間の通路が開放され、密閉型では、外部と右耳の外耳道との間の通路が遮断される。
【００３０】
マイコン５９は、イヤホン５１を開放型または密閉型に設定する。マイコン５９は、イヤホン５１を開放型に設定するときには、Open/Close機構６３を制御して、左イヤーパッド５４を開放型に設定するとともに、Open/Close機構６５を制御して、右イヤーパッド５５を開放型に設定する。マイコン５９は、イヤホン５１を密閉型に設定するときには、Open/Close機構６３を制御して、左イヤーパッド５４を密閉型に設定するとともに、Open/Close機構６５を制御して、右イヤーパッド５５を密閉型に設定する。
【００３１】
マイコン５９は、携帯端末１のユーザの身体の状態または所在する環境に関連する情報を取得または検出する状態管理部５９１と、ユーザの身体の状態または所在する環境に基づいて、イヤホン５１を密閉型または開放型に切り替えるイヤホン制御部５９２とを備える。マイコン５９は、イヤホン５１から出力する音量を制御する音量制御部５９３を備える。
【００３２】
図３は、第１の実施形態のイヤホン５１の左イヤーパッド５４の外観を表わす図である。右イヤーパッド５５の構成も、これと同様である。
【００３３】
図３に示すように、ケース３３の内部に収容された圧電素子６２は、ケーブル３４を通じて送られる左音声信号に従って振動する。この振動は、振動板３２に伝わる。振動板３２が振動することによって、筐体３６が振動する。筐体３６の振動がユーザの外耳道の骨および左イヤーバッド５４内の外部と外耳道との間の通路３９の空気を振動させて、この振動がユーザの鼓膜に伝わる。
【００３４】
Open/Close切替機構６３が、回転することによって、オープンとクローズの間の切替が行われる。Open/Close切替機構６５の回転は、図示しないモータ機構を備えることによって行なうことができるとともに、ユーザが手動で行なうこともできる。
【００３５】
図４（ａ）は、左イヤーパッド５４のOpen/Close切替機構６３がオープンに切り替えられたときの状態を表わす図である。
【００３６】
オープン状態では、外部の周囲音が、左イヤーバッド５４内の外部と外耳道との間の通路３９を通じて、ユーザの鼓膜に伝わる。また、オープン状態では、圧電素子６２が振動した場合に、通路３９内の空気の振動による音声が外部に漏れる。
【００３７】
図４（ｂ）は、左イヤーパッド５４のOpen/Close切替機構６３がクローズに切り替えられたときの状態を表わす図である。
【００３８】
クローズ状態では、外部の周囲音が、左イヤーバッド５４内の外部と外耳道との間の通路３９を通じて、ユーザの鼓膜に伝わることがない。また、クローズ状態では、圧電素子６２が振動した場合に、通路３９内の空気の振動による音声が外部に漏れることがない。
【００３９】
図５は、第１の実施形態における、イヤホン５１のOpen/Closeの切替手順を表わす図である。
【００４０】
図５を参照して、ステップＳ１０１において、イヤホン５１のマイコン５９内の状態管理部５９１は、イヤホン５１に含まれるマイク６０の入力信号の大きさが閾値ＴＨ１以上の場合には、処理をステップＳ１０２に進ませる。イヤホン５１のマイコン５９内の状態管理部５９１は、マイク６０の入力信号の大きさが閾値ＴＨ１未満の場合には、処理をステップＳ１０４に進ませる。
【００４１】
ステップＳ１０２において、イヤホン５１のマイコン５９内のイヤホン制御部５９２は、イヤホン５１を開放型（オープン）に設定する。すなわち、イヤホン制御部５９２は、Open/Close機構６３を制御して、左イヤーパッド５４を開放型に設定するとともに、Open/Close機構６５を制御して、右イヤーパッド５５を開放型に設定する。
【００４２】
この理由は、マイク６０の入力信号の大きさが大きいときには、外部でクラクション音などが発生していると考えられるので、安全を優先して、イヤホン５１をオープンにして、外部のクラクションがユーザの鼓膜に伝わるようにするためである。
【００４３】
ステップＳ１０３において、イヤホン５１のマイコン５９内の音量制御部５９３は、アンプ５８を制御することによって、イヤホン５１の圧電素子６２、６４から出力される音声の音量を所定レベルＡに設定する。
【００４４】
これは、外部のクラクション音が聴き取りやすいように、携帯端末１から出力される音声の大きさを所定レベルＡに制限するためである。
【００４５】
ステップＳ１０４において、イヤホン５１のマイコン５９内のイヤホン制御部５９２は、イヤホン５１を密閉型（クローズ）に設定する。
【００４６】
この理由は、マイク６０の入力信号の大きさが小さいときには、外部でクラクション音などが発生していないと考えられるので、携帯端末１から出力される音声を聴き取りやすくするために、イヤホン５１をクローズにして、外部の周囲音がユーザの鼓膜に伝わらないようにするためである。
【００４７】
ステップＳ１０５において、イヤホン５１のマイコン５９内の音量制御部５９３は、アンプ５８を制御することによって、イヤホン５１の圧電素子６２、６４から出力される音声の音量をユーザが選択したレベルに設定する。
【００４８】
これは、携帯端末１から出力される音声の大きさをユーザの希望に応じて設定するためである。
【００４９】
以上のように、本実施の形態によれば、マイクの入力信号の大きさが大きいときには、イヤホンをオープンにするので、ユーザは、外部のクラクション音などを聴き取りやすくなる。マイクの入力信号の大きさが小さいときには、イヤホンをクローズに設定するので、ユーザは、携帯端末から出力される音声を聴き取りやすくなる。
［第１の実施形態の変形例１］
第１の実施形態では、イヤホン５１のOpen/Closeの切替えの判断は、イヤホン５１のマイコン５９で行われた。これに対して、本変形例では、携帯端末１のＣＰＵ９が、イヤホン５１のOpen/Closeの切替えを判断する。
【００５０】
図６は、第１の実施形態の変形例１の携帯端末１の構成を表わす図である。
図６に示すように、ＣＰＵ９が、携帯端末１のユーザの身体の状態または所在する環境に関連する情報を取得または検出する状態管理部９１と、ユーザの身体の状態または所在する環境に基づいて、イヤホン５１を密閉型または開放型に切り替えるイヤホン制御部９２とを備える。
【００５１】
図７は、第１の実施形態の変形例１のイヤホン５１の構成を表わす図である。
図７に示すように、マイコン５９は、状態管理部５９１と、イヤホン制御部５９２を備えない。
【００５２】
図８は、第１の実施形態の変形例１のイヤホン５１のOpen/Closeの切替手順を表わす図である。
【００５３】
図８を参照して、ステップＳ２０３において、携帯端末１のＣＰＵ９内の状態管理部９１は、携帯端末１に含まれるマイク１４の入力信号の大きさが閾値ＴＨ１以上の場合には、処理をステップＳ２０４に進ませる。携帯端末１のＣＰＵ９内の状態管理部９１は、マイク１４の入力信号の大きさが閾値ＴＨ１未満の場合には、処理をステップＳ２０６に進ませる。
【００５４】
ステップＳ２０４において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【００５５】
ステップＳ２０５において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【００５６】
ステップＳ２０６において、携帯端末１のＣＰＵ９内のイヤホン制御部９２は、イヤホン５１を密閉型（クローズ）に設定するための指示信号を、イヤホンジャック１５、イヤホンプラグ５２、信号線Ｍを通じて、イヤホン５１のマイコン５９に伝送する。
【００５７】
ステップＳ２０７において、携帯端末１のＣＰＵ９内のイヤホン制御部９２は、イヤホン５１の圧電素子６２、６４から出力される音声の音量をユーザが選択したレベルに設定するための指示信号を、イヤホンジャック１５、イヤホンプラグ５２、信号線Ｍを通じて、イヤホン５１のマイコン５９に伝送する。
【００５８】
ステップＳ２０８において、イヤホン５１のマイコン５９は、イヤホン５１を開放型またはクローズ型に設定するための指示信号を受信し、指示信号に従って、イヤホン５１を開放型または密閉型に設定する。すなわち、イヤホン５１を開放型に設定するときには、マイコン５９は、Open/Close機構６３を制御して、左イヤーパッド５４を開放型に設定するとともに、Open/Close機構６５を制御して、右イヤーパッド５５を開放型に設定する。
また、イヤホン５１を密閉型に設定するときには、マイコン５９は、Open/Close機構６３を制御して、左イヤーパッド５４を密閉型に設定するとともに、Open/Close機構６５を制御して、右イヤーパッド５５を密閉型に設定する。
【００５９】
ステップＳ２０９において、イヤホン５１のマイコン５９は、イヤホン５１の圧電素子６２、６４から出力される音声の音量を設定するための指示信号を受信し、指示信号に従って、アンプ５８を制御することによって、イヤホン５１の圧電素子６２、６４から出力される音声の音量を、所定レベルおよびユーザが選択したレベルのいずれかに設定する。
［第１の実施形態の変形例２］
本変形例の携帯端末１の構成は、図１の第１の実施形態の携帯端末１の構成と同様である。また、本変形例のイヤホン５１の構成は、図２の第１の実施形態のイヤホン５１の構成と同様である。
【００６０】
図９は、第１の実施形態の変形例２のイヤホン５１のOpen/Closeの切替手順を表わす図である。
【００６１】
図９を参照して、ステップＳ３０１において、イヤホン５１のマイコン５９内の状態管理部５９１は、マイク６０の入力信号に特定の複数の単語のいずれかを発音したときの音声信号が含まれる場合には、処理をステップＳ３０２に進ませる。イヤホン５１のマイコン５９内の状態制御部５９１は、マイク６０の入力信号に特定の複数の単語のいずれかを発音したときの音声信号が含まれない場には、処理をステップＳ３０４に進ませる。
【００６２】
ステップＳ３０２において、イヤホン５１のマイコン５９は、イヤホン５１を開放型（オープン）に設定する。
【００６３】
この理由は、予め登録している単語（たとえば、ユーザの名前など）の音声信号がマイク１４の入力信号に含まれている場合には、イヤホン５１をオープンにして、予め登録している単語の音声信号がユーザの鼓膜に伝わるようにするためである。
【００６４】
ステップＳ３０３において、イヤホン５１のマイコン５９は、アンプ５８を制御することによって、イヤホン５１の圧電素子６２、６４から出力される音声の音量を所定レベルＡに設定する。
【００６５】
これは、予め登録している単語の音声信号が聴き取りやすいように、携帯端末１から出力される音声の大きさを所定レベルＡに制限するためである。
【００６６】
ステップＳ３０４において、イヤホン５１のマイコン５９は、イヤホン５１を密閉型（クローズ）に設定する。
【００６７】
この理由は、予め登録している単語（たとえば、ユーザの名前など）の音声信号がマイク１４の入力信号に含まれていない場合には、携帯端末１から出力される音声を聴き取りやすくするために、イヤホン５１をクローズにして、外部の周囲音がユーザの鼓膜に伝わらないようにするためである。
【００６８】
ステップＳ３０５において、イヤホン５１のマイコン５９は、アンプ５８を制御することによって、イヤホン５１の圧電素子６２、６４から出力される音声の音量をユーザが選択したレベルに設定する。
【００６９】
これは、携帯端末１から出力される音声の大きさをユーザの希望に応じて設定するためである。
【００７０】
以上のように、本変形例によれば、予め登録している単語（たとえば、ユーザの名前など）の音声信号がマイクの入力信号に含まれている場合には、イヤホンをオープンにするので、ユーザは、外部で発音された予め登録している単語の音声信号を聴き取りやすくなる。予め登録している単語（たとえば、ユーザの名前など）の音声信号がマイクの入力信号に含まれていない場合には、イヤホンをクローズに設定するので、ユーザは、携帯端末から出力される音声を聴き取りやすくなる。
［第１の実施形態の変形例３］
第１の実施形態では、イヤホン５１のOpen/Closeの切替えの判断は、イヤホン５１のマイコン５９で行われた。これに対して、本変形例では、携帯端末１のＣＰＵ９が、イヤホン５１のOpen/Closeの切替えを判断する。
【００７１】
本変形例の携帯端末１の構成は、図６の第１の実施形態の変形例１の携帯端末１の構成と同じである。本変形例のイヤホン５１の構成は、図７の第１の実施形態の変形例１のイヤホン５１の構成と同じである。
【００７２】
図１０は、第１の実施形態の変形例３のイヤホン５１のOpen/Closeの切替手順を表わす図である。
【００７３】
図１０を参照して、ステップＳ４０３において、携帯端末１のＣＰＵ９内の状態管理部９１は、マイク１４の入力信号に特定の複数の単語のいずれかを発音したときの音声信号が含まれる場合には、処理をステップＳ４０４に進ませる。携帯端末１のＣＰＵ９の状態管理部９１は、マイク１４の入力信号に特定の複数の単語のいずれかを発音したときの音声信号が含まれない場には、処理をステップＳ４０６に進ませる。
【００７４】
ステップＳ４０４において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【００７５】
ステップＳ４０５において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【００７６】
ステップＳ４０６において、携帯端末１のＣＰＵ９内のイヤホン制御部９２は、イヤホン５１を密閉型（クローズ）に設定するための指示信号を、イヤホンジャック１５、イヤホンプラグ５２、信号線Ｍを通じて、イヤホン５１のマイコン５９に伝送する。
【００７７】
ステップＳ４０７において、携帯端末１のＣＰＵ９内のイヤホン制御部９２は、イヤホン５１の圧電素子６２、６４から出力される音声の音量をユーザが選択したレベルに設定するための指示信号を、イヤホンジャック１５、イヤホンプラグ５２、信号線Ｍを通じて、イヤホン５１のマイコン５９に伝送する。
【００７８】
ステップＳ４０８において、イヤホン５１のマイコン５９は、イヤホン５１を開放型または密閉型に設定するための指示信号を受信し、指示信号に従って、イヤホン５１を開放型（オープン）および密閉型（クローズ）のいずれかに設定する。
【００７９】
ステップＳ４０９において、イヤホン５１のマイコン５９は、イヤホン５１の圧電素子６２、６４から出力される音声の音量を設定するための指示信号を受信し、指示信号に従って、アンプ５８を制御することによって、イヤホン５１の圧電素子６２、６４から出力される音声の音量を、所定レベルおよびユーザが選択したレベルのいずれかに設定する。すなわち、イヤホン５１を開放型に設定するときには、マイコン５９は、Open/Close機構６３を制御して、左イヤーパッド５４を開放型に設定するとともに、Open/Close機構６５を制御して、右イヤーパッド５５を開放型に設定する。また、イヤホン５１を密閉型に設定するときには、マイコン５９は、Open/Close機構６３を制御して、左イヤーパッド５４を密閉型に設定するとともに、Open/Close機構６５を制御して、右イヤーパッド５５を密閉型に設定する。
【００８０】
［第２の実施形態］
本実施の形態の携帯端末１の構成は、図１の第１の実施形態の携帯端末１の構成と同様である。また、本実施の形態のイヤホン５１の構成は、図２の第１の実施形態のイヤホン５１の構成と同様である。
【００８１】
図１１は、第２の実施形態における、イヤホン５１のOpen/Closeの切替手順を表わす図である。
【００８２】
図１１を参照して、ステップＳ５０１において、携帯端末１のＣＰＵ９は、加速度センサ１７が出力する加速度データに基づいて、ユーザが電車または自動車などの乗り物に乗車状態か、静止状態か、または運動状態かを判定する。ここで、運動状態には、歩行状態、ランニング状態、および自転車を漕いでいる状態などが含まれる。本実施の形態では、運動状態は、歩行状態、ランニング状態、および自転車を漕いでいる状態のうちのいずれかであるとする。
【００８３】
加速度データに基づいて、上記の状態が識別できる理由について説明する。
運動状態では、加速度データは、頻繁に変化する大きな加速度を示す。乗車状態では、乗り物が停止中から動き始めて一定速度になるまでに大きな加速度を示し、その後の期間は、乗り物が一定速度で動くので、小さな加速度を示す。従って、乗車状態では、加速度データは、短期間の大きな加速度、その後の長期間の小さな加速度のパターンが繰り返される。静止状態では、加速度データは、小さな加速度を示す。
【００８４】
このような特徴の差異を利用することによって、ユーザの状態を識別することができる。たとえば、電車に乗車状態、自動車に乗車状態、歩行状態、ランニング状態、自転車を漕いでいる状態、および静止状態について、それぞれの加速度の特性を示すパターンを予め記憶しておく。携帯端末１のＣＰＵ９は、加速度センサ１７で検出された加速度データのパターンが予め記憶されているパターンのどれと一致するかに基づいて、ユーザが運動状態であるか、乗車状態であるか、静止状態であるかを判定することができる。
【００８５】
携帯端末１のＣＰＵ９は、判定したユーザの状態を表わす信号をイヤホンジャック１５、イヤホンプラグ５２、信号線Ｍを通じて、イヤホン５１のマイコン５９に伝送する。
【００８６】
ステップＳ５０２において、イヤホン５１のマイコン５９内の状態管理部５９１は、判定されたユーザの状態を表わす信号を受信する。
【００８７】
ステップＳ５０４において、イヤホン５１のマイコン５９内のイヤホン制御部５９２は、ユーザが運動状態である場合には、処理をステップＳ５０５に進ませる。
【００８８】
ステップＳ５０７において、イヤホン５１のマイコン５９内のイヤホン制御部５９２は、ユーザが乗車状態である場合には、処理をステップＳ５０８に進ませる。
【００８９】
ステップＳ５１０において、イヤホン５１のマイコン５９内のイヤホン制御部５９２は、ユーザが静止状態である場合には、処理をステップＳ５１１に進ませる。
【００９０】
ステップＳ５０５において、イヤホン５１のマイコン５９内のイヤホン制御部５９２は、イヤホン５１を開放型（オープン）に設定する。すなわち、イヤホン制御部５９２は、Open/Close機構６３を制御して、左イヤーパッド５４を開放型に設定するとともに、Open/Close機構６５を制御して、右イヤーパッド５５を開放型に設定する。
【００９１】
この理由は、運動状態のときには、安全を優先して、イヤホン５１をオープンにして、外部の周囲音がユーザの鼓膜に伝わるようにするためである。
【００９２】
ステップＳ５０６において、イヤホン５１のマイコン５９内の音量制御部５９３は、アンプ５８を制御することによって、イヤホン５１の圧電素子６２、６４から出力される音声の音量を所定レベルＡに設定する。
【００９３】
これは、外部の周囲音が聴き取りやすいように、携帯端末１から出力される音声の大きさを所定レベルＡに制限するためである。
【００９４】
ステップＳ５０８において、イヤホン５１のマイコン５９内のイヤホン制御部５９２は、イヤホン５１を密閉型（クローズ）に設定する。すなわち、イヤホン制御部５９２は、Open/Close機構６３を制御して、左イヤーパッド５４を密閉型に設定するとともに、Open/Close機構６５を制御して、右イヤーパッド５５を密閉型に設定する。
【００９５】
この理由は、電車または自動車などに乗車時は、他人が周囲に存在する可能性が高いため、イヤホン５１をクローズにして、携帯端末１から出力された音声が周囲に伝わらないようにするためである。
【００９６】
ステップＳ５０９において、イヤホン５１のマイコン５９内の音量制御部５９３は、アンプ５８を制御することによって、イヤホン５１の圧電素子６２、６４から出力される音声の音量をユーザが選択したレベルに設定する。
【００９７】
これは、携帯端末１から出力される音声の大きさをユーザの希望に応じて設定するためである。
【００９８】
ステップＳ５１１において、イヤホン５１のマイコン５９内のイヤホン制御部５９２は、イヤホン５１を密閉型（クローズ）に設定する。すなわち、イヤホン制御部５９２は、Open/Close機構６３を制御して、左イヤーパッド５４を密閉型に設定するとともに、Open/Close機構６５を制御して、右イヤーパッド５５を密閉型に設定する。
【００９９】
この理由は、静止状態では、安全を考慮する必要性が少ないため、イヤホン５１をクローズにして、ユーザが、携帯端末１から出力される音声を聴き取りやすくするためである。
【０１００】
ステップＳ５１２において、イヤホン５１のマイコン５９内の音量制御部５９３は、アンプ５８を制御することによって、イヤホン５１の圧電素子６２、６４から出力される音声の音量をユーザが選択したレベルに設定する。
【０１０１】
これは、携帯端末１から出力される音声の大きさをユーザの希望に応じて設定するためである。
【０１０２】
以上のように、本実施の形態によれば、運動状態のときには、イヤホンをオープンにするので、ユーザは、外部の周囲音を聴き取りやすくなる。乗車状態のときには、イヤホンをクローズに設定するので、携帯端末から出力される音声が外部に漏れないようにすることができる。静止状態のときには、イヤホンをクローズに設定するので、ユーザは、携帯端末から出力される音声を聴き取りやすくなる。
【０１０３】
［第２の実施形態の変形例１］
第２の実施形態では、イヤホン５１のOpen/Closeの切替えの判断は、イヤホン５１のマイコン５９で行われた。これに対して、本変形例では、携帯端末１のＣＰＵ９が、イヤホン５１のOpen/Closeの切替えを判断する。
【０１０４】
本変形例の携帯端末１の構成は、図６の第１の実施形態の変形例１の携帯端末１の構成と同じである。本変形例のイヤホン５１の構成は、図７の第１の実施形態の変形例１のイヤホン５１の構成と同じである。
【０１０５】
図１２は、第２の実施形態の変形例１のイヤホンのOpen/Closeの切替手順を表わす図である。
【０１０６】
図１２を参照して、ステップＳ６０１において、携帯端末１のＣＰＵ９内の状態管理部５９１は、加速度センサ１７から出力される加速度データに基づいて、ユーザが乗り物に乗車状態か、静止状態か、または運動状態かを判定する。
【０１０７】
ステップＳ６０２において、携帯端末１のＣＰＵ９内のイヤホン制御部９２は、ユーザが運動状態である場合には、処理をステップＳ６０３に進ませる。
【０１０８】
ステップＳ６０５において、携帯端末１のＣＰＵ９内のイヤホン制御部９２は、ユーザが乗車状態である場合には、処理をステップＳ６０６に進ませる。
【０１０９】
ステップＳ６０８において、携帯端末１のＣＰＵ９内のイヤホン制御部９２は、ユーザが静止状態である場合には、処理をステップＳ６０９に進ませる。
【０１１０】
ステップＳ６０３において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【０１１１】
ステップＳ６０４において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【０１１２】
ステップＳ６０６において、携帯端末１のＣＰＵ９内のイヤホン制御部９２は、イヤホン５１を密閉型（クローズ）に設定するための指示信号を、イヤホンジャック１５、イヤホンプラグ５２、信号線Ｍを通じて、イヤホン５１のマイコン５９に伝送する。
【０１１３】
ステップＳ６０７において、携帯端末１のＣＰＵ９内のイヤホン制御部９２は、イヤホン５１の圧電素子６２、６４から出力される音声の音量をユーザが選択したレベルに設定するための指示信号を、イヤホンジャック１５、イヤホンプラグ５２、信号線Ｍを通じて、イヤホン５１のマイコン５９に伝送する。
【０１１４】
ステップＳ６０９において、携帯端末１のＣＰＵ９内のイヤホン制御部９２は、イヤホン５１を密閉型（クローズ）に設定するための指示信号を、イヤホンジャック１５、イヤホンプラグ５２、信号線Ｍを通じて、イヤホン５１のマイコン５９に伝送する。
【０１１５】
ステップＳ６１０において、携帯端末１のＣＰＵ９内のイヤホン制御部９２は、イヤホン５１の圧電素子６２、６４から出力される音声の音量をユーザが選択してレベルに設定するための指示信号を、イヤホンジャック１５、イヤホンプラグ５２、信号線Ｍを通じて、イヤホン５１のマイコン５９に伝送する。
【０１１６】
ステップＳ６１１において、イヤホン５１のマイコン５９は、イヤホン５１を開放型またはクローズ型に設定するための指示信号を受信し、指示信号に従って、イヤホン５１を開放型または密閉型に設定する。すなわち、イヤホン５１を開放型に設定するときには、マイコン５９は、Open/Close機構６３を制御して、左イヤーパッド５４を開放型に設定するとともに、Open/Close機構６５を制御して、右イヤーパッド５５を開放型に設定する。
また、イヤホン５１を密閉型に設定するときには、マイコン５９は、Open/Close機構６３を制御して、左イヤーパッド５４を密閉型に設定するとともに、Open/Close機構６５を制御して、右イヤーパッド５５を密閉型に設定する。
【０１１７】
ステップＳ６１２において、イヤホン５１のマイコン５９は、イヤホン５１の圧電素子６２、６４から出力される音声の音量を設定するための指示信号を受信し、指示信号に従って、アンプ５８を制御することによって、イヤホン５１の圧電素子６２、６４から出力される音声の音量を、所定レベルおよびユーザが選択したレベルのいずれかに設定する。
【０１１８】
［第３の実施形態］
図１３は、第３の実施形態のイヤホン５１の構成を表わす図である。
【０１１９】
図１３の第３の実施形態のイヤホン５１が、図２の第１の実施形態のイヤホン５１と相違する点は、脈拍センサ６６７を備える点である。脈拍センサ６６７は、赤外線を受光するＰＤ（Photo Diode）６６と、赤外線を出力するＬＥＤ６７とを備える。
【０１２０】
図１４は、第３の実施形態のイヤホン５１の左イヤーパッド５４の外観を表わす図である。右イヤーパッド５５の構成も、これと同様である。
【０１２１】
図１４に示すように、ＰＤ６６と、ＬＥＤ６７とが追加されている。
図１５は、赤外線の送信、および受信の様子を表わす図である。
【０１２２】
ＬＥＤ６７とＰＤ６６は、外耳の皮膚に向けられるようにイヤホン５１がユーザの耳に装着される。
【０１２３】
ＬＥＤ６７から送信された送信波は、外耳体内で反射し、ＰＤ６６によって受信波として受信される。
【０１２４】
外耳の皮膚の下には、血管があり、血液が流れている。脈拍によって血管が収縮することで、赤外線の吸収量が変わる。つまり体内での赤外線の反射量が変わり、受信波の周期が脈拍の周期と同じになる。この受信波の周期によって脈拍を計算することができる。
【０１２５】
図１６は、第３の実施形態における、イヤホン５１のOpen/Closeの切替手順を表わす図である。
【０１２６】
図１６を参照して、ステップＳ７０１において、脈拍センサ６６７が、ユーザの脈拍を測定する。すなわち、ＬＥＤ６７が、赤外線をユーザの外耳道に送信し、ＰＤ６６が、外耳道で反射された赤外線を受信する。脈拍センサ６６７は、受信した赤外線の波形に基づいて、ユーザの脈拍を測定する。
【０１２７】
ステップＳ７０２において、イヤホン５１のマイコン５９内の状態管理部５９１は、ユーザの脈拍が閾値ＴＨ３以上の場合には、処理をステップＳ７０３に進ませる。イヤホン５１のマイコン５９内の状態管理部５９１は、ユーザの脈拍が閾値ＴＨ３未満の場合には、処理をステップＳ７０５に進ませる。
【０１２８】
ステップＳ７０２において、イヤホン５１のマイコン５９内のイヤホン制御部５９１は、イヤホン５１を開放型（オープン）に設定する。すなわち、イヤホン制御部５９２は、Open/Close機構６３を制御して、左イヤーパッド５４を開放型に設定するとともに、Open/Close機構６５を制御して、右イヤーパッド５５を開放型に設定する。
【０１２９】
この理由は、脈拍が速いときには、ユーザが移動中や運動中である可能性が高いため、安全を優先して、イヤホン５１をオープンにして、外部の周囲音がユーザの鼓膜に伝わるようにするためである。
【０１３０】
ステップＳ７０３において、イヤホン５１のマイコン５９内の音量制御部５９３は、アンプ５８を制御することによって、イヤホン５１の圧電素子６２、６４から出力される音声の音量を所定レベルＡに設定する。
【０１３１】
これは、外部の周囲音が聴き取りやすいように、携帯端末１から出力される音声の大きさを所定レベルＡに制限するためである。
【０１３２】
ステップＳ７０４において、イヤホン５１のマイコン５９内のイヤホン制御部５９１は、イヤホン５１のOpen/Close切替機構６３を密閉型（クローズ）に設定する。すなわち、イヤホン制御部５９２は、Open/Close機構６３を制御して、左イヤーパッド５４を密閉型に設定するとともに、Open/Close機構６５を制御して、右イヤーパッド５５を密閉型に設定する。
【０１３３】
この理由は、脈拍が遅いときには、ユーザが静止状態である可能性が高いため、安全を考慮する必要性が少ないため、イヤホン５１をクローズにして、ユーザが、携帯端末１から出力される音声を聴き取りやすくするためである。
【０１３４】
ステップＳ７０５において、イヤホン５１のマイコン５９内の音量制御部５９３は、アンプ５８を制御することによって、イヤホン５１の圧電素子６２、６４から出力される音声の音量をユーザが選択したレベルに設定する。
【０１３５】
これは、携帯端末１から出力される音声の大きさをユーザの希望に応じて設定するためである。
【０１３６】
以上のように、本実施の形態によれば、脈拍が速いときには、イヤホンをオープンにするので、ユーザは、外部の周囲音を聴き取りやすくなる。脈拍が遅いときには、イヤホンをクローズに設定するので、ユーザは、携帯端末から出力される音声を聴き取りやすくなる。
【０１３７】
［第３の実施形態の変形例１］
第３の実施形態では、イヤホン５１のOpen/Closeの切替えの判断は、イヤホン５１のマイコン５９で行われた。これに対して、本変形例では、携帯端末１のＣＰＵ９が、イヤホン５１のOpen/Closeの切替えを判断する。
【０１３８】
本変形例の携帯端末１の構成は、図６の第１の実施形態の変形例１の携帯端末１の構成と同じである。
【０１３９】
図１７は、第３の実施形態の変形例１のイヤホン５１の構成を表わす図である。
図１７に示すように、マイコン５９は、状態管理部５９１と、イヤホン制御部５９２を備えない。
【０１４０】
図１８は、第３の実施形態の変形例１のイヤホン５１のOpen/Closeの切替手順を表わす図である。
【０１４１】
図１８を参照して、ステップＳ８０１において、脈拍センサ６６７が、ユーザの脈拍を測定する。すなわち、ＬＥＤ６７が、赤外線をユーザの外耳道に送信し、ＰＤ６６が、外耳道で反射された赤外線を受信する。脈拍センサ６６７は、受信した赤外線の波形に基づいて、ユーザの脈拍を測定する。イヤホン５１のマイコン５９は、ユーザの脈拍を表わす信号を、信号線Ｍ、イヤホンプラグ５２、イヤホンジャック１５を通じて、携帯端末１のＣＰＵ９に伝送する。
【０１４２】
ステップＳ８０２において、携帯端末１のＣＰＵ９内の状態管理部９１は、ユーザの脈拍を表わす信号を受信する。
【０１４３】
ステップＳ８０４において、携帯端末１のＣＰＵ９内のイヤホン制御部９２は、ユーザの脈拍が閾値ＴＨ３以上の場合には、処理をステップＳ８０５に進ませる。携帯端末１のＣＰＵ９内のイヤホン制御部９２は、ユーザの脈拍が閾値ＴＨ３未満の場合には、処理をステップＳ８０７に進ませる。
【０１４４】
ステップＳ８０５において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【０１４５】
ステップＳ８０６において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【０１４６】
ステップＳ８０７において、携帯端末１のＣＰＵ９内のイヤホン制御部９２は、イヤホン５１を密閉型（クローズ）に設定するための指示信号を、イヤホンジャック１５、イヤホンプラグ５２、信号線Ｍを通じて、イヤホン５１のマイコン５９に伝送する。
【０１４７】
ステップＳ８０８において、携帯端末１のＣＰＵ９内のイヤホン制御部９２は、イヤホン５１の圧電素子６２、６４から出力される音声の音量をユーザが選択したレベルに設定するための指示信号を、イヤホンジャック１５、イヤホンプラグ５２、信号線Ｍを通じて、イヤホン５１のマイコン５９に伝送する。
【０１４８】
ステップＳ８０９において、イヤホン５１のマイコン５９は、イヤホン５１を開放型またはクローズ型に設定するための指示信号を受信し、指示信号に従って、イヤホン５１を開放型または密閉型に設定する。すなわち、イヤホン５１を開放型に設定するときには、マイコン５９は、Open/Close機構６３を制御して、左イヤーパッド５４を開放型に設定するとともに、Open/Close機構６５を制御して、右イヤーパッド５５を開放型に設定する。
また、イヤホン５１を密閉型に設定するときには、マイコン５９は、Open/Close機構６３を制御して、左イヤーパッド５４を密閉型に設定するとともに、Open/Close機構６５を制御して、右イヤーパッド５５を密閉型に設定する。
【０１４９】
ステップＳ８１０において、イヤホン５１のマイコン５９は、イヤホン５１の圧電素子６２、６４から出力される音声の音量を設定するための指示信号を受信し、指示信号に従って、アンプ５８を制御することによって、イヤホン５１の圧電素子６２、６４から出力される音声の音量を、所定レベルおよびユーザが選択したレベルのいずれかに設定する。
【０１５０】
［第４の実施形態］
本実施の形態の携帯端末１の構成は、図１の第１の実施形態の携帯端末１の構成と同様であり、本実施の形態のイヤホン５１の構成は、図１３の第３の実施形態のイヤホン５１の構成と同様である。
【０１５１】
図１９および図２０は、第４の実施形態における、イヤホン５１のOpen/Closeの切替手順を表わす図である。
【０１５２】
図１９および図２０を参照して、ステップＳ９０１において、イヤホン５１のマイコン５９は、図示しないタイマＴ１のカウント値およびタイマＴ２のカウント値を０に設定し、アンプ５８を制御することによって、イヤホン５１の圧電素子６２、６４から出力される音声の音量を、ユーザが選択したレベルのいずれかに設定する。
【０１５３】
図示しないが、携帯端末１のＣＰＵ９は、加速度センサ１７から出力される加速度データに基づいて、ユーザが乗り物に乗車状態か、静止状態か、または運動状態かを判定する。携帯端末１のＣＰＵ９は、判定したユーザの状態を表わす信号をイヤホンジャック１５、イヤホンプラグ５２、信号線Ｍを通じて、イヤホン５１のマイコン５９に伝送する。
【０１５４】
ステップＳ９０２において、イヤホン５１のマイコン５９内の状態管理部５９１は、ユーザの状態を表わす信号を受信する。
【０１５５】
ステップＳ９０４において、イヤホン５１のマイコン５９および携帯端末１のＣＰＵ９は、判定結果に基づく設定処理を行なう。この内容については、後述する。
【０１５６】
ステップＳ９０５において、イヤホン５１のマイコン５９内のイヤホン制御部５９２は、マイク６０の入力信号の大きさが閾値ＴＨ１以上の場合には、処理をステップＳ８０６に進ませる。イヤホン５１のマイコン５９内のイヤホン制御部５９２は、マイク６０の入力信号の大きさが閾値ＴＨ１未満の場合には、処理をステップＳ９０９に進ませる。
【０１５７】
ステップＳ９０６において、イヤホン５１のマイコン５９内のイヤホン制御部５９２は、イヤホン５１を開放型（オープン）に設定する。
【０１５８】
ステップＳ９０７において、イヤホン５１のマイコン５９内の音量制御部５９３は、アンプ５８を制御することによって、イヤホン５１の圧電素子６２、６４から出力される音声の音量を所定レベルＡに設定する。
【０１５９】
ステップＳ９０８において、イヤホン５１のマイコン５９は、図示しないタイマＴ１のカウントを開始させる。
【０１６０】
ステップＳ９０９において、イヤホン５１のマイコン５９内のイヤホン制御部５９２は、マイク６０の入力信号に特定の複数の単語のいずれかを発音したときの音声信号が含まれる場合には、処理をステップＳ９１０に進ませる。
【０１６１】
ステップＳ９１０において、イヤホン５１のマイコン５９内のイヤホン制御部５９２は、イヤホン５１を開放型（オープン）に設定する。
【０１６２】
ステップＳ９１１において、イヤホン５１のマイコン５９内の内の音量制御部５９３は、アンプ５８を制御することによって、イヤホン５１の圧電素子６２、６４から出力される音声の音量を所定レベルＡに設定する。
【０１６３】
ステップＳ９１２において、イヤホン５１のマイコン５９内のイヤホン制御部５９２は、図示しないタイマＴ２のカウントを開始させる。
【０１６４】
ステップＳ９１３において、イヤホン５１のマイコン５９内のイヤホン制御部５９２は、タイマＴ１のカウント値が所定値Ｔａ未満の場合には、処理をステップＳ９１０に進ませる。
【０１６５】
ステップＳ９１４において、イヤホン５１のマイコン５内のイヤホン制御部５９２は、イヤホン５１の状態をマイク６０の入力信号のレベル判定前の状態に戻す。
【０１６６】
ステップＳ９１５において、イヤホン５１のマイコン５９内の音量制御部５９３は、アンプ５８を制御することによって、イヤホン５１の圧電素子６２、６４から出力される音声の音量をマイク６０の入力信号のレベル判定前の状態に戻す。
【０１６７】
ステップＳ９１６において、イヤホン５１のマイコン５９は内のイヤホン制御部５９２、タイマＴ１のカウントを停止させるともに、タイマＴ１のカウント値を０に戻す。
【０１６８】
ステップＳ９１７において、イヤホン５１のマイコン５９は内のイヤホン制御部５９２、タイマＴ２のカウント値が所定値Ｔｂ未満の場合には、処理をステップＳ９１８に進ませる。
【０１６９】
ステップＳ９１８において、イヤホン５１のマイコン５９内のイヤホン制御部５９２は、イヤホン５１の状態をマイク６０の入力信号の音声認識の判定（特定の単語を発音したか）前の状態に戻す。
【０１７０】
ステップＳ９１９において、イヤホン５１のマイコン５９内の音量制御部５９３は、アンプ５８を制御することによって、イヤホン５１の圧電素子６２、６４から出力される音声の音量をマイク６０の入力信号の音声認識の判定前の状態に戻す。
【０１７１】
ステップＳ９２０において、イヤホン５１のマイコン５９内のイヤホン制御部５９２は、タイマＴ２のカウントを停止させるともに、タイマＴ２のカウント値を０に戻す。
【０１７２】
ステップＳ９２１において、イヤホン５１のマイコン５９内のイヤホン制御部５９２は、ユーザの指示に基づいてイヤホン５１の設定処理の通知があった場合には、処理を終了させ、イヤホン５１の設定処理の通知がない場合には、処理をステップＳ９０２に戻させる。
【０１７３】
図２１は、図１９のステップＳ９０４の詳細な手順を表わす図である。
図２１を参照して、ステップＳ９３１において、イヤホン５１のマイコン５９内のイヤホン制御部５９２は、判定結果が運動状態である場合には、処理をステップＳ９３２に進ませ、判定結果が運動状態でない場合には、処理をステップＳ９３４に進ませる。
【０１７４】
ステップＳ９３２において、イヤホン５１のマイコン５９内のイヤホン制御部５９２は、イヤホン５１を開放型（オープン）に設定する。
【０１７５】
ステップＳ９３３において、イヤホン５１のマイコン５９内の音量制御部５９３は、アンプ５８を制御することによって、イヤホン５１の圧電素子６２、６４から出力される音声の音量を所定レベルＡに設定する。
【０１７６】
ステップＳ９３４において、イヤホン５１のマイコン５９内のイヤホン制御部５９２は、判定結果が乗車状態である場合には、処理をステップＳ９３５に進ませ、判定結果が乗車状態でない場合には、処理をステップＳ９３７に進ませる。
【０１７７】
ステップＳ９３５において、イヤホン５１のマイコン５９内のイヤホン制御部５９２は、イヤホン５１を密閉型（クローズ）に設定する。
【０１７８】
ステップＳ９３６において、イヤホン５１のマイコン５９内の音量制御部５９３は、アンプ５８を制御することによって、イヤホン５１の圧電素子６２、６４から出力される音声の音量をユーザが選択したレベルに設定する。
【０１７９】
ステップＳ９３７において、イヤホン５１のマイコン５９内のイヤホン制御部５９２は、判定結果が静止状態である場合には、処理をステップＳ９３８に進ませる。
【０１８０】
ステップＳ９３８において、イヤホン５１脈拍センサ６６７が、ユーザの脈拍を測定する。すなわち、ＬＥＤ６７が、赤外線をユーザの外耳道に送信し、ＰＤ６６が、外耳道で反射された赤外線を受信する。脈拍センサ６６７は、受信した赤外線の波形に基づいて、ユーザの脈拍を測定する。
【０１８１】
ステップＳ９３９において、イヤホン５１のマイコン５９内の状態管理部５９１は、ユーザの脈拍が閾値ＴＨ３以上の場合には、処理をステップＳ９４０に進ませる。イヤホン５１のマイコン５９内の状態管理部５９１は、ユーザの脈拍が閾値ＴＨ３未満の場合には、処理をステップＳ９４２に進ませる。
【０１８２】
これは、静止状態の中には、脈拍が速い状態と、脈拍が遅い状態がある。脈拍が速い状態では、現在、ユーザは静止しているが、運動中の一時停止であると考えられる。脈拍が遅い場合には、ユーザは、現在を含む過去の一定期間、運動していないと考えられる。
【０１８３】
ステップＳ９４０において、イヤホン５１のマイコン５９内のイヤホン制御部５９２は、イヤホン５１を開放型（オープン）に設定する。
【０１８４】
ステップＳ９４１において、イヤホン５１のマイコン５９内の音量制御部５９３は、アンプ５８を制御することによって、イヤホン５１の圧電素子６２、６４から出力される音声の音量を所定レベルＡに設定する。
【０１８５】
ステップＳ９４２において、イヤホン５１のマイコン５９内のイヤホン制御部５９２は、イヤホン５１を密閉型（クローズ）に設定する。
【０１８６】
ステップＳ９４３において、イヤホン５１のマイコン５９内の音量制御部５９３は、アンプ５８を制御することによって、イヤホン５１の圧電素子６２、６４から出力される音声の音量をユーザが選択したレベルに設定する。
【０１８７】
［第４の実施形態の変形例１］
第４の実施形態では、イヤホン５１のOpen/Closeの切替えの判断は、イヤホン５１のマイコン５９で行われた。これに対して、本変形例では、携帯端末１のＣＰＵ９が、イヤホン５１のOpen/Closeの切替えを判断する。
【０１８８】
本変形例の携帯端末１の構成は、図６の第１の実施形態の変形例１の携帯端末１の構成と同じである。本変形例のイヤホン５１の構成は、図１７の第３の実施形態の変形例１のイヤホン５１の構成と同じである。
【０１８９】
図２２および図２３は、第４の実施形態の変形例１における、イヤホン５１のOpen/Closeの切替手順を表わす図である。
【０１９０】
図２２および図２３を参照して、ステップＳ１００１において、携帯端末１のＣＰＵ９は、図示しないタイマＴ１のカウント値およびタイマＴ２のカウント値を０に設定し、イヤホン５１の圧電素子６２、６４から出力される音声の音量を、ユーザが選択したレベルのいずれかに設定するための指示信号を、イヤホンジャック１５、イヤホンプラグ５２、信号線Ｍを通じて、イヤホン５１のマイコン５９に伝送する。イヤホン５１のマイコン５９は、受信した指示信号に応じて、アンプ５８を制御することによって、イヤホン５１の圧電素子６２、６４から出力される音声の音量を、ユーザが選択したレベルのいずれかに設定する。
【０１９１】
ステップＳ１００３において、携帯端末１のＣＰＵ９は、加速度センサ１７が出力する加速度データに基づいて、ユーザの状態を判定する。
【０１９２】
ステップＳ１００４において、携帯端末１のＣＰＵ９およびイヤホン５１のマイコン５９は、判定結果に基づく設定処理を行なう。この内容については、後述する。
【０１９３】
ステップＳ１００５において、携帯端末１のＣＰＵ９は、マイク１４の入力信号の大きさが閾値ＴＨ１以上の場合には、処理をステップＳ１００６に進ませる。携帯端末１のＣＰＵ９は、マイク１４の入力信号の大きさが閾値ＴＨ１未満の場合には、処理をステップＳ１００９に進ませる。
【０１９４】
ステップＳ１００６において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【０１９５】
ステップＳ１００７において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【０１９６】
ステップＳ１００８において、携帯端末１のＣＰＵ９は、図示しないタイマＴ１のカウントを開始させる。
【０１９７】
ステップＳ１００９において、携帯端末１のＣＰＵ９内の状態管理部９１は、マイク１４の入力信号に特定の複数の単語のいずれかを発音したときの音声信号が含まれる場合には、処理をステップＳ１０１０に進ませる。
【０１９８】
ステップＳ１０１０において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【０１９９】
ステップＳ１０１１において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【０２００】
ステップＳ１０１２において、携帯端末１のＣＰＵ９は、図示しないタイマＴ２のカウントを開始させる。
【０２０１】
ステップＳ１０１３において、携帯端末１のＣＰＵ９は、タイマＴ１のカウント値が所定値Ｔａ未満の場合には、処理をステップＳ１０１０に進ませる。
【０２０２】
ステップＳ１０１４において、携帯端末１のＣＰＵ９内のイヤホン制御部９２は、イヤホン５１の状態をマイク１４の入力信号のレベル判定前の状態に戻すための指示信号を、イヤホンジャック１５、イヤホンプラグ５２、信号線Ｍを通じて、イヤホン５１のマイコン５９に伝送する。
【０２０３】
ステップＳ１０１５において、携帯端末１のＣＰＵ９内のイヤホン制御部９２は、イヤホン５１の圧電素子６２、６４から出力される音声の音量をマイク１４の入力信号のレベル判定前の状態に戻すための指示信号を、イヤホンジャック１５、イヤホンプラグ５２、信号線Ｍを通じて、イヤホン５１のマイコン５９に伝送する。
【０２０４】
ステップＳ１０１６において、携帯端末１のＣＰＵ９は、タイマＴ１のカウントを停止させるともに、タイマＴ１のカウント値を０に戻す。
【０２０５】
ステップＳ１０１７において、携帯端末１のＣＰＵ９は、タイマＴ２のカウント値が所定値Ｔｂ未満の場合には、処理をステップＳ１０１８に進ませる。
【０２０６】
ステップＳ１０１８において、携帯端末１のＣＰＵ９内のイヤホン制御部９２は、イヤホン５１のOpen/Close切替機構６３の状態をマイク１４の入力信号の音声認識の判定（特定の単語を発音したか）前の状態に戻すための指示信号を、イヤホンジャック１５、イヤホンプラグ５２、信号線Ｍを通じて、イヤホン５１のマイコン５９に伝送する。
【０２０７】
ステップＳ１０１９において、携帯端末１のＣＰＵ９内のイヤホン制御部９２は、イヤホン５１の圧電素子６２、６４から出力される音声の音量をマイク１４の入力信号の音声認識の判定前の状態に戻すための指示信号を、イヤホンジャック１５、イヤホンプラグ５２、信号線Ｍを通じて、イヤホン５１のマイコン５９に伝送する。
【０２０８】
ステップＳ１０２０において、携帯端末１のＣＰＵ９は、タイマＴ２のカウントを停止させるともに、タイマＴ２のカウント値を０に戻す。
【０２０９】
ステップＳ１０２１において、携帯端末１のＣＰＵ９は、ユーザの指示に基づいてイヤホン５１の設定処理の通知があった場合には、処理を終了させ、イヤホン５１の設定処理の通知がない場合には、処理をステップＳ１００３に戻させる。
【０２１０】
図示しないが、イヤホン５１のマイコン５９は、イヤホン５１を開放型またはクローズ型に設定するための指示信号を受信し、指示信号に従って、イヤホン５１を開放型または密閉型に設定する。すなわち、イヤホン５１を開放型に設定するときには、マイコン５９は、Open/Close機構６３を制御して、左イヤーパッド５４を開放型に設定するとともに、Open/Close機構６５を制御して、右イヤーパッド５５を開放型に設定する。また、イヤホン５１を密閉型に設定するときには、マイコン５９は、Open/Close機構６３を制御して、左イヤーパッド５４を密閉型に設定するとともに、Open/Close機構６５を制御して、右イヤーパッド５５を密閉型に設定する。また、イヤホン５１のマイコン５９は、イヤホン５１の圧電素子６２、６４から出力される音声の音量を設定するための指示信号を受信し、指示信号に従って、アンプ５８を制御することによって、イヤホン５１の圧電素子６２、６４から出力される音声の音量を、所定レベルおよびユーザが選択したレベルのいずれかに設定する。
【０２１１】
図２４は、図２２のステップＳ１００４の詳細な手順を表わす図である。
図２４を参照して、ステップＳ１０３１において、携帯端末１のＣＰＵ９内のイヤホン制御部９２は、判定結果が運動状態の場合には、処理をステップＳ１０３２に進ませ、判定結果が運動状態でない場合には、処理をステップＳ１０３４に進ませる。
【０２１２】
ステップＳ１０３２において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【０２１３】
ステップＳ１０３３において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【０２１４】
ステップＳ１０３４において、携帯端末１のＣＰＵ９内のイヤホン制御部９２は、判定結果が乗車状態の場合には、処理をステップＳ１０３５に進ませ、判定結果が乗車状態でない場合には、処理をステップＳ１０３７に進ませる。
【０２１５】
ステップＳ１０３５において、携帯端末１のＣＰＵ９内のイヤホン制御部９２は、イヤホン５１を密閉型（クローズ）に設定するための指示信号を、イヤホンジャック１５、イヤホンプラグ５２、信号線Ｍを通じて、イヤホン５１のマイコン５９に伝送する。
【０２１６】
ステップＳ１０３６において、携帯端末１のＣＰＵ９内のイヤホン制御部９２は、イヤホン５１の圧電素子６２、６４から出力される音声の音量をユーザが選択したレベルに設定するための指示信号を、イヤホンジャック１５、イヤホンプラグ５２、信号線Ｍを通じて、イヤホン５１のマイコン５９に伝送する。
【０２１７】
ステップＳ１０３７において、携帯端末１のＣＰＵ９内のイヤホン制御部９２は、判定結果が、ユーザが静止状態の場合には、処理をステップＳ１０３８に進ませる。
【０２１８】
ステップＳ１０３８において、脈拍センサ６６７が、ユーザの脈拍を測定する。すなわち、ＬＥＤ６７が、赤外線をユーザの外耳道に送信し、ＰＤ６６が、外耳道で反射された赤外線を受信する。脈拍センサ６６７は、受信した赤外線の波形に基づいて、ユーザの脈拍を測定する。イヤホン５１のマイコン５９は、ユーザの脈拍を表す信号を、信号線Ｍ、イヤホンプラグ５２、イヤホンジャック１５を通じて、携帯端末１へ伝送する。携帯端末１のＣＰＵ９内状態管理部９１は、ユーザの脈拍を表わす信号を受信する。
【０２１９】
ステップＳ１０３９において、携帯端末１のＣＰＵ９内のイヤホン制御部９２は、ユーザの脈拍が閾値ＴＨ３以上の場合には、処理をステップ１０４０に進ませる。携帯端末１のＣＰＵ９内のイヤホン制御部９２は、ユーザの脈拍が閾値ＴＨ３未満の場合には、処理をステップＳ１０４２に進ませる。
【０２２０】
ステップＳ１０４０において、携帯端末１のＣＰＵ９内のイヤホン制御部９２は、イヤホン５１を開放型（オープン）に設定するための指示信号を、イヤホンジャック１５、イヤホンプラグ５２、信号線Ｍを通じて、イヤホン５１のマイコン５９に伝送する。
【０２２１】
ステップＳ１０４１において、携帯端末１のＣＰＵ９内のイヤホン制御部９２は、イヤホン５１の圧電素子６２、６４から出力される音声の音量を所定レベルＡに設定するための指示信号を、イヤホンジャック１５、イヤホンプラグ５２、信号線Ｍを通じて、イヤホン５１のマイコン５９に伝送する。
【０２２２】
ステップＳ１０４２において、携帯端末１のＣＰＵ９内のイヤホン制御部９２は、イヤホン５１を密閉型（クローズ）に設定するための指示信号を、イヤホンジャック１５、イヤホンプラグ５２、信号線Ｍを通じて、イヤホン５１のマイコン５９に伝送する。
【０２２３】
ステップＳ１０４３において、携帯端末１のＣＰＵ９内のイヤホン制御部９２は、イヤホン５１の圧電素子６２、６４から出力される音声の音量をユーザが選択したレベルに設定するための指示信号を、イヤホンジャック１５、イヤホンプラグ５２、信号線Ｍを通じて、イヤホン５１のマイコン５９に伝送する。
【０２２４】
（全体の変形例）
本発明は、上記の実施形態およびその変形例に限定されるものではなく、たとえば以下のような変形例も含む。
【０２２５】
（１）イヤホンの変形例１
図２５は、変形例１のイヤホン７１の構成を表わす図である。
【０２２６】
図２５のイヤホン７１が、図１３のイヤホン５１と相違する点は、以下である。
左イヤーパッド５４は、圧電素子６２の代わりに、電磁型のスピーカ８１を備える。
【０２２７】
右イヤーパッド５５は、圧電素子６４の代わりに、電磁型のスピーカ８３を備える。
また、図２５のイヤホン７１は、図１３のアンプ５８を備えない。
【０２２８】
（２）イヤホンの変形例２
図２６は、変形例２のイヤホン６１の構成を表わす図である。
【０２２９】
図２６のイヤホン６１が、図１３のイヤホン５１と相違する点は、以下である。
左イヤーパッド５４は、圧電素子６２の代わりに、電磁型のスピーカ８１を備える。
【０２３０】
右イヤーパッド５５は、圧電素子６４の代わりに、電磁型のスピーカ８３を備える。
また、図２６のイヤホン６１は、図１３のアンプ５８、スイッチ５６、グランド電源’（ＧＮＤ）５７を備えず、電池９４、アンテナ（ＡＮＴ）９２、Bluetooth（登録商標）９３、およびコーデック９７を備える。
【０２３１】
電池９４は、マイコン５９へ電力を供給する。
コーデック９７は、スピーカ８１、８３へ出力する音声信号の符号化する。
【０２３２】
Bluetooth（登録商標）９３は、Bluetooth（登録商標）規格に従って、無線信号を送信するとともに、無線信号を受信する。
【０２３３】
アンテナ９２は、携帯端末１へ無線信号を出力し、携帯端末からの無線信号を受信する。
【０２３４】
（３）イヤホンの構造設定
本実施の形態では、イヤホンをオープンに設定するときには、左イヤーパッドと右イヤーパッドの両方のOpen/Close機構をオープンに設定し、イヤホンをクローズに設定するときには、左イヤーパッドと右イヤーパッドの両方のOpen/Close機構をクローズに設定したが、これに限定するものではない。
【０２３５】
一方のイヤーパッドのOpen/Close機構をオープンに設定し、他方のイヤーパッドのOpen/Close機構をクローズに設定するものとしてもよい。
【０２３６】
たとえば、左側から発音された外部の周囲音を聴き取やすくするために、左イヤーパッドのOpen/Close機構をオープンに設定し、右イヤーパッドのOpen/Close機構をクローズに
設定するものとしてもよい。
【０２３７】
（４）イヤホンの音量設定
本実施の形態では、イヤホンから出力される音量の設定は、イヤホン内のマイコンで実行されることとしたが、これに限定するものではない。たとえば、携帯端末のコーデック部が音声出力レベルを制御することで、イヤホンから出力される音量が設定されるものとしてもよい。
【０２３８】
（５）音量の指定
本実施の形態では、運動時、乗車時、および静止状態時のときの音量が予め定められているものとして説明したが、これに限定するものではない。ユーザが、これらの状態において、どのような音量にするのかを設定できるものとしてもよい。
【０２３９】
（６）イヤホンの構造の設定、およびイヤホンの音量の設定
本実施の形態では、歩行状態、ランニング状態、および自転車を漕いでいる状態のうちのいずれかを運動状態とし、運動状態と判定された場合に、イヤホンの構造を開放型に設定し、イヤホンの音量を所定レベルＡに設定したが、これに限定するものではない。運動状態が、歩行状態、ランニング状態、および自転車を漕いでいる状態のいずれであるかに基づいて、イヤホンの構造の設定、およびイヤホンの音量の設定を変えてもよい。
【０２４０】
同様に、ユーザが乗車しているのが、バス、電車、自動車、飛行機のいずれであるかに基づいて、イヤホンの構造の設定、およびイヤホンの音量の設定を変えてもよい。
【０２４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２４２】
１  携帯端末、２  アンテナ、３  バッテリ、４  無線処理部、５  ＬＣＤ、６  タッチパネル、７  電力制御部、８  メモリ、９  ＣＰＵ、１０，９７  コーデック、１２  スピーカ、１３  レシーバ、１４  マイク、１５  イヤホンジャック、１７  加速度センサ、１８  方位センサ、５３  中継器、５４  左イヤーバッド、５５  右イヤーパッド、５６  スイッチ、５７  グランド電源、５８  アンプ、５９  マイコン、５１，６１，７１  イヤホン、５２，７２  イヤホンプラグ、６０，マイク、６２，６４  圧電素子、６３，６５  Open/Close切替機構、９１，５９１  状態管理部、９２，５９２  イヤホン制御部、６６  ＰＤ、６７  ＬＥＤ、８１，８３  スピーカ、９２  アンテナ、９３  Bluetooth（登録商標）、９４  電池、３２  振動板、３３  ケース、３４  ケーブル、３６  筐体、３９  通路、６６７  脈拍センサ、５９３  音量制御部。
【図１】
2016051915.tif 000003
【図２】
2016051915.tif 000004
【図３】
2016051915.tif 000005
【図４】
2016051915.tif 000006
【図５】
2016051915.tif 000007
【図６】
2016051915.tif 000008
【図７】
2016051915.tif 000009
【図８】
2016051915.tif 000010
【図９】
2016051915.tif 000011
【図１０】
2016051915.tif 000012
【図１１】
2016051915.tif 000013
【図１２】
2016051915.tif 000014
【図１３】
2016051915.tif 000015
【図１４】
2016051915.tif 000016
【図１５】
2016051915.tif 000017
【図１６】
2016051915.tif 000018
【図１７】
2016051915.tif 000019
【図１８】
2016051915.tif 000020
【図１９】
2016051915.tif 000021
【図２０】
2016051915.tif 000022
【図２１】
2016051915.tif 000023
【図２２】
2016051915.tif 000024
【図２３】
2016051915.tif 000025
【図２４】
2016051915.tif 000026
【図２５】
2016051915.tif 000027
【図２６】
2016051915.tif 000028